(57)【要約】【課題】ケースの一端部側に入力線と出力線とが配置されて出力線を短くすることが可能なＬＥＤ点灯装置およびそれを用いたＬＥＤ照明器具を提供する。【解決手段】配線ダクト３に電気的に接続されＬＥＤチップからなる発光素子を具備する発光装置を点灯させる点灯装置２と、点灯装置２を収納可能な矩形箱状のケース４とを備え、点灯装置２においてケース４の一端部側に、配線ダクト３から入力線６を介して給電される入力部９と、出力線７を介して上記発光装置へ給電する出力部１０とが配置される。【選択図】図１
2012048979.tif 000002
【特許請求の範囲】
【請求項１】
配線ダクトに電気的に接続されＬＥＤチップからなる発光素子を具備する発光装置を点灯させる点灯装置と、前記点灯装置を収納可能な矩形箱状のケースとを備え、前記点灯装置において前記ケースの一端部側に、前記配線ダクトから入力線を介して給電される入力部と、出力線を介して前記発光装置へ給電する出力部とが配置されてなることを特徴とするＬＥＤ点灯装置。
【請求項２】
前記点灯装置は、前記発光装置を点灯させる点灯回路が形成された回路基板で構成され、前記回路基板において前記ケースの前記一端部側に、前記入力部と前記出力部とが配置されてなることを特徴とする請求項１記載のＬＥＤ点灯装置。
【請求項３】
前記点灯装置は、前記発光装置を点灯させる点灯回路が形成された回路基板と、前記回路基板を収納可能な基板ケースとで構成され、前記基板ケースにおいて前記ケースの前記一端部側に、前記入力部と前記出力部とが配置されてなることを特徴とする請求項１記載のＬＥＤ点灯装置。
【請求項４】
前記回路基板は、前記入力部と前記出力部とを設けてなることを特徴とする請求項３記載のＬＥＤ点灯装置。
【請求項５】
請求項１ないし請求項４のいずれか１項に記載のＬＥＤ点灯装置を備えてなることを特徴とするＬＥＤ照明器具。
【発明の詳細な説明】
【技術分野】
【０００１】
本発明は、配線ダクトに電気的に接続されＬＥＤチップからなる発光素子を具備する発光装置を点灯させるＬＥＤ点灯装置およびそれを用いたＬＥＤ照明器具に関するものである。
【背景技術】
【０００２】
従来から、セラミックメタルハライドランプからなる光源を備えて天井などの設置面に設けられた配線ダクトに取り付けられるスポットライトが提案されている（例えば、特許文献１参照）。
【０００３】
この種のスポットライトは、例えば、図７に示すように、セラミックメタルハライドランプなどのＨＩＤランプを保持した灯具１と、ＨＩＤランプを点灯させる点灯装置２６と、点灯装置２６を収納して配線ダクト３に取り付けられる矩形箱状のケース４とを備えている。
【０００４】
灯具１は、ケース４の下側に配置されており、当該灯具１を取り付けたアーム８を介してケース４に保持されている。なお、灯具１は、アーム８に設けられた軸ねじ８ｂによってアーム８に取り付けられている。
【０００５】
また、図７に示した構成のスポットライトには、ケース４を配線ダクト３に取り付けるための第１のプラグ５ａおよび第２のプラグ５ｂがケース４の上面からそれぞれ突出している。第１のプラグ５ａは、図７（ａ）に示すように、ケース４の上面の長手方向の一端部から突出している。第２のプラグ５ｂは、図７（ａ）に示すように、ケース４の上面の長手方向の他端部から突出している。また、第１のプラグ５ａは、配線ダクト３に設けられた導電板（図示せず）に電気的に接続され、入力線（電源線）６を介して点灯装置２６に電気的に接続されている。
【０００６】
点灯装置２６は、図７（ｂ）の左右方向における第１のプラグ５ａ側の端部に配置された第１の端子台（図示せず）に入力線６が電気的に接続されるとともに、第２のプラグ５ｂ側の端部に配置された第２の端子台（図示せず）に出力線（電源線）７が電気的に接続されており、出力線７を介して灯具１のＨＩＤランプに電気的に接続されている。なお、ケース４の下壁には、アーム８を取り付ける部位の近傍に、出力線７を挿通する挿通孔４ａが設けられている。
【先行技術文献】
【特許文献】
【０００７】
【特許文献１】特開２００９−３２４７３号公報
【発明の概要】
【発明が解決しようとする課題】
【０００８】
ところで、この種のスポットライトは、図７（ａ）に示すように、灯具１がケース４の下側に配置されることが多く、一般的に、灯具１を取り付けたアーム８がケース４に保持され、且つ、アーム８の軸ねじ８ｂと第１のプラグ５ａとが直線上で並ぶように配置されている。要するに、灯具１が、ケース４の上記長手方向の上記一端部側に配置されている。
【０００９】
しかしながら、この種のスポットライトの点灯装置は、図７（ｂ）に示すように、第１のプラグ５ａ側の端部に配置された上記第１の端子台に入力線６が電気的に接続されるとともに、第２のプラグ５ｂ側の端部に配置された上記第２の端子台に出力線７が電気的に接続されているので、出力線７をケース４の下壁に設けられた挿通孔４ａに挿通するために、ケース４の内部で出力線７をケース４の上記長手方向の上記一端部側に引き回す必要があり、出力線７が長くなる。また、この種のスポットライトの点灯装置は、ケース４の内部で出力線７をケース４の上記長手方向の上記一端部側に引き回す必要があるので、スポットライトの組み立てに手間がかかる。
【００１０】
本発明は上記事由に鑑みて為されたものであり、その目的は、ケースの一端部側に入力線と出力線とが配置されて出力線を短くすることが可能なＬＥＤ点灯装置およびそれを用いたＬＥＤ照明器具を提供することにある。
【課題を解決するための手段】
【００１１】
本発明のＬＥＤ点灯装置は、配線ダクトに電気的に接続されＬＥＤチップからなる発光素子を具備する発光装置を点灯させる点灯装置と、前記点灯装置を収納可能な矩形箱状のケースとを備え、前記点灯装置において前記ケースの一端部側に、前記配線ダクトから入力線を介して給電される入力部と、出力線を介して前記発光装置へ給電する出力部とが配置されてなることを特徴とする。
【００１２】
このＬＥＤ点灯装置において、前記点灯装置は、前記発光装置を点灯させる点灯回路が形成された回路基板で構成され、前記回路基板において前記ケースの前記一端部側に、前記入力部と前記出力部とが配置されてなることが好ましい。
【００１３】
このＬＥＤ点灯装置において、前記点灯装置は、前記発光装置を点灯させる点灯回路が形成された回路基板と、前記回路基板を収納可能な基板ケースとで構成され、前記基板ケースにおいて前記ケースの前記一端部側に、前記入力部と前記出力部とが配置されてなることが好ましい。
【００１４】
このＬＥＤ点灯装置において、前記回路基板は、前記入力部と前記出力部とを設けてなることが好ましい。
【００１５】
本発明のＬＥＤ照明器具は、前記ＬＥＤ点灯装置を備えてなることを特徴とする。
【発明の効果】
【００１６】
本発明のＬＥＤ点灯装置においては、ケースの一端部側に入力線と出力線とが配置されて出力線を短くすることが可能となる効果がある。
【００１７】
本発明のＬＥＤ照明器具においては、前記ＬＥＤ点灯装置を備えることによって、組み立てが容易となる効果がある。
【図面の簡単な説明】
【００１８】
【図１】実施形態１のＬＥＤ点灯装置を備えたＬＥＤ照明器具を示し、（ａ）は概略構成図、（ｂ）は点灯装置を示す斜視図である。
【図２】同上のＬＥＤ照明器具における点灯装置の他の構成例を示す斜視図である。
【図３】実施形態２のＬＥＤ点灯装置を備えたＬＥＤ照明器具を示し、（ａ）は概略構成図、（ｂ）は発光装置を点灯させる点灯回路が形成された回路基板を示す斜視図である。
【図４】実施形態３のＬＥＤ点灯装置を備えたＬＥＤ照明器具を示す概略構成図である。
【図５】同上のＬＥＤ照明器具における点灯装置を示し、（ａ）は斜視図、（ｂ）は回路基板と基板ケースとで構成される概略構成図、（ｃ）は他の回路基板と基板ケースとで構成される概略構成図である。
【図６】同上のＬＥＤ照明器具における点灯装置の他の構成例を示す斜視図である。
【図７】従来例を示す点灯装置を備えた照明器具について、（ａ）は概略構成図、（ｂ）は要部断面図である。
【発明を実施するための形態】
【００１９】
（実施形態１）
本実施形態のＬＥＤ点灯装置を備えたＬＥＤ照明器具は、例えば、図１（ａ）に示すように、天井などの設置面に設けられた配線ダクト３に取り付けられるスポットライトであって、ＬＥＤチップからなる発光素子を具備する発光装置（図示せず）を保持した灯具１と、配線ダクト３に設けられた導電板（図示せず）に電気的に接続され上記発光装置を点灯させる点灯装置２と、点灯装置２を収納して配線ダクト３に取り付けられる矩形箱状のケース４とを備えている。
【００２０】
上記発光装置は、上記発光素子と、一表面に上記発光素子が実装された矩形板状の実装基板（図示せず）とで構成されている。なお、上記実装基板の一表面には、上記発光素子に給電する第１の導電パターンが形成されている。
【００２１】
上記発光素子は、青色ＬＥＤチップと、この青色ＬＥＤチップから放射される青色光により励起されてブロードな黄色光を放射する黄色蛍光体からなる蛍光体とを組み合わせて白色光を得る白色ＬＥＤで構成されている。なお、上記発光素子の蛍光体は、黄色蛍光体に限らず、例えば、赤色蛍光体と緑色蛍光体とを用いてもよい。また、上記発光素子は、紫〜近紫外ＬＥＤチップと、赤色蛍光体、緑色蛍光体および青色蛍光体を用いた蛍光体とを組み合わせて白色光を得る白色ＬＥＤで構成されてもよい。さらに、上記発光素子は、赤色ＬＥＤチップと緑色ＬＥＤチップと青色ＬＥＤチップとを組み合わせて白色光を得る白色ＬＥＤで構成されてもよい。また、上記発光素子の発光色は、白色に限るものではない。また、上記発光素子の構成は、ＬＥＤチップをプリント配線板のような回路基板に直接接合した構成であってもよい。
【００２２】
灯具１は、底面に開口を有する椀状に形成されており、ケース４の下側に配置されている。また、灯具１の内部には、上記発光装置の上記実装基板を保持するための保持片（図示せず）が２つ設けられている。
【００２３】
アーム８は、細長い板状部材で形成されている。また、アーム８の一端部には、当該アーム８が上記設置面に対して平行な面内で回動自在となるための回動軸（図示せず）が設けられている。ここにおいて、ケース４の下壁には、アーム８の上記回動軸を着脱自在に保持する軸受け部（図示せず）が設けられている。この軸受け部は、上記設置面に対して平行な面内で回動自在となる形でアーム８の上記回動軸を保持する。その結果、アーム８の上記回動軸はケース４の上記軸受け部に回動自在に保持されるので、アーム８が上記設置面に対して平行な面内で回動可能となる。
【００２４】
アーム８の他端部には、上記設置面の垂直方向に回動自在となる形で灯具１を取り付けるための軸ねじ８ｂを挿通するねじ挿通孔８ｃが設けられている。また、灯具１の外周壁には、アーム８のねじ挿通孔８ｃに対応する位置に、軸ねじ８ｂを螺合するねじ孔（図示せず）が設けられている。したがって、軸ねじ８ｂをアーム８のねじ挿通孔８ｃに挿通し、灯具１の上記ねじ孔に螺合することによって、灯具１がアーム８に取り付けられるとともに上記設置面の上記垂直方向に回動自在となる。
【００２５】
ケース４は、当該ケース４を配線ダクト３に取り付けるための第１のプラグ５ａおよび第２のプラグ５ｂがケース４の上面からそれぞれ突出している。
【００２６】
第１のプラグ５ａと第２のプラグ５ｂとは、図１（ａ）に示すように、配線ダクト３に対向するケース４の上面において互いに離間する形で配置されており、第１のプラグ５ａがケース４の上面の長手方向の一端部から突出しており、第２のプラグ５ｂがケース４の上面の長手方向の他端部から突出している。したがって、ケース４は、第１のプラグ５ａおよび第２のプラグ５ｂを配線ダクト３に取り付けることで、配線ダクト３に沿って移動可能となっている。なお、アーム８のねじ挿通孔８ｃと第１のプラグ５ａとが一直線上で並ぶように配置されている。
【００２７】
第１のプラグ５ａは、配線ダクト３に設けられた上記導電板に電気的に接続される。また、第１のプラグ５ａは、例えばリード線からなる一対の入力線（電源線）６を介して点灯装置２に電気的に接続されている。なお、第１のプラグ５ａおよび第２のプラグ５ｂの構造は、周知の構造で実現可能であるので、詳細な説明を省略する。
【００２８】
点灯装置２は、図１（ｂ）に示すように、矩形状に形成されており、配線ダクト３に設けられた上記導電板から第１のプラグ５ａと入力線６とを介して給電される入力部９と、例えばリード線からなる一対の出力線（電源線）７を介して上記発光装置へ給電する出力部１０とを備えている。また、点灯装置２における第１のプラグ５ａ側の端部２ａには、入力部９と出力部１０とが配線ダクト３の幅方向に並設されている。したがって、点灯装置２においてケース４の上記長手方向の上記一端部側に、入力部９と出力部１０とが配置されている。その結果、本実施形態のＬＥＤ点灯装置は、ケース４の内部で出力線７をケース４の上記長手方向の上記一端部側に引き回すことが不要となるので、出力線７を短くすることが可能となる。
【００２９】
また、点灯装置２は、図２に示すように、一対の入力線６を挿通する一対の第１の挿通孔１１ａが設けられた入力端子台１１と、一対の出力線７を挿通する一対の第２の挿通孔１２ａが設けられた出力端子台１２とを備え、点灯装置２における第１のプラグ５ａ側（図２では、左側）の傾斜部２ｂにおいて入力端子台１１と出力端子台１２とが配線ダクト３の幅方向に並設されたものであってもよい。ここで、入力端子台１１および出力端子台１２は、点灯装置２に内装され上記発光装置を点灯させる点灯回路が形成された矩形板状のプリント配線板のような回路基板（図示せず）に実装されており、上記回路基板に設けられた第２の導電パターン（図示せず）に電気的に接続されている。また、点灯装置２の傾斜部２ｂには、入力端子台１１における第１の挿通孔１１ａを露出させる第１の窓孔２ｃと、出力端子台１２における第２の挿通孔１２ａを露出させる第２の窓孔２ｄとがそれぞれ設けられている。さらに、入力端子台１１は、第１の挿通孔１１ａを通して挿入された入力線６が電気的に接続される第１の端子板（図示せず）と、上記第１の端子板との間に入力線６を挟持する第１の鎖錠ばね（図示せず）とからなる第１の速結端子（図示せず）が内装されており、上記第１の端子板から延設された第１の接続片（図示せず）が上記回路基板の上記第２の導電パターンに電気的に接続されている。また、出力端子台１２は、第２の挿通孔１２ａを通して挿入された出力線７が電気的に接続される第２の端子板（図示せず）と、上記第２の端子板との間に出力線７を挟持する第２の鎖錠ばね（図示せず）とからなる第２の速結端子（図示せず）が内装されており、上記第２の端子板から延設された第２の接続片（図示せず）が上記回路基板の上記第２の導電パターンに電気的に接続されている。なお、上記第１の速結端子および上記第２の速結端子の構造は周知の構造を適宜採用すればよい。
【００３０】
ところで、ケース４は、照明器具に用いられる照明負荷がＨＩＤランプからＬＥＤからなる発光素子に代替えされてゆく中でＬＥＤ照明器具の開発投資を抑制するために、ＨＩＤランプを用いた照明器具に使用されるケースを流用することが多い。そのため、点灯装置２の形状は、ＨＩＤランプを用いた照明器具に使用される点灯装置の形状と同じものであることが好ましい。
【００３１】
以上説明した本実施形態のＬＥＤ点灯装置では、点灯装置２においてケース４の上記長手方向の上記一端部側に、入力部９と出力部１０とが配置されているので、出力線７を短くすることが可能となる。また、本実施形態のＬＥＤ点灯装置では、出力線７を短くすることができ、ケース４の内部で出力線７をケース４の上記長手方向の上記一端部側に引き回すことが不要となるので、ＬＥＤ照明器具の組み立てが容易になるとともに、点灯装置２への外来ノイズを低減することが可能となる。さらに、本実施形態のＬＥＤ照明器具では、上述のＬＥＤ点灯装置を備えた照明器具を提供することが可能となる。
【００３２】
（実施形態２）
本実施形態のＬＥＤ点灯装置を備えたＬＥＤ照明器具の基本構成は実施形態１と同じであり、図３に示すように、上記発光装置を点灯させる点灯回路が形成された回路基板１３を備える点が実施形態１と相違する。なお、実施形態１と同様の構成要素には同一の符号を付して説明を適宜省略する。
【００３３】
回路基板１３は、図３に示すように、上記発光装置を点灯させる点灯回路の回路部品１４などが一表面に実装された矩形板状のプリント配線板のようなものであって、ケース４内に収納される。
【００３４】
また、回路基板１３は、図３（ｂ）に示すように、配線ダクト３に設けられた上記導電板から第１のプラグ５ａと入力線６とを介して給電される入力部１５と、出力線７を介して上記発光装置へ給電する出力部１６とを備え、回路基板１３の上記一表面における第１のプラグ５ａ側の端部１３ａにおいて入力部１５と出力部１６とが配線ダクト３の幅方向に並設されている。したがって、回路基板１３においてケース４の上記長手方向の上記一端部側に、入力部１５と出力部１６とが配置されている。なお、入力線６は、入力部１５に導電性接合剤（例えば、半田など）により接合され電気的に接続されている。また、出力線７は、出力部１６に導電性接合剤により接合され電気的に接続されている。
【００３５】
以上説明した本実施形態のＬＥＤ点灯装置では、回路基板１３においてケース４の上記長手方向の上記一端部側に、入力部１５と出力部１６とが配置されているので、出力線７を短くすることが可能となる。
【００３６】
（実施形態３）
本実施形態のＬＥＤ点灯装置を備えたＬＥＤ照明器具の基本構成は実施形態２と同じであり、図４に示すように、点灯装置１８の構成が実施形態２と相違する。なお、実施形態２と同様の構成要素には同一の符号を付して説明を適宜省略する。
【００３７】
点灯装置１８は、図４に示すように、回路基板１３と、この回路基板１３を収納可能な矩形箱状の基板ケース１７とで構成されている。
【００３８】
基板ケース１７は、図５に示すように、入力線６が挿通される入力孔（入力部）１９と、出力線７が挿通される出力孔（出力部）２０とを備えている。また、基板ケース１７における第１のプラグ５ａ側（図５では、左側）の端部１７ａには、入力孔１９と出力孔２０とが配線ダクト３の幅方向に並設されている。したがって、基板ケース１７においてケース４の上記長手方向の上記一端部側に、入力孔１９と出力孔２０とが配置されている。
【００３９】
また、基板ケース１７には、図５（ｃ）に示すように、第１のプラグ５ａ側に入力線６が導電性接合剤により結合され電気的に接続された入力部２２と、第２のプラグ５ｂ側（図５（ｃ）では、右側）に出力線７が導電性接合剤により結合され電気的に接続された出力部２３とを備えた矩形板状のプリント配線板のような回路基板２１が収納可能となっている。つまり、回路基板２１の入力部２２に電気的に接続された入力線６を、基板ケース１７の入力孔１９に通し、回路基板２１の出力部２３に電気的に接続された出力線７を、基板ケース１７の出力孔２０に通すことで、基板ケース１７においてケース４の上記長手方向の上記一端部側に、入力線６と出力線７とが配置されることになる。したがって、基板ケース１７は、回路基板１３，２１に設けられた入力部１５，２２および出力部１６，２３の位置にかかわらず、ケース４の上記長手方向の上記一端部側に、入力孔（入力部）１９と出力孔（出力部）２０とが配置されることになる。なお、回路基板２１には、上記発光装置を点灯させる点灯回路の回路部品１４などが一表面に実装されている。
【００４０】
また、基板ケース１７は、図６に示すように、一対の入力線６を挿通する一対の第１の挿通孔２４ａが設けられた入力端子台２４と、一対の出力線７を挿通する一対の第２の挿通孔２５ａが設けられた出力端子台２５とを備え、基板ケース１７における第１のプラグ５ａ側（図６では、左側）の傾斜部１７ｂにおいて入力端子台２４と出力端子台２５とが配線ダクト３の幅方向に並設されたものであってもよい。なお、入力端子台２４および出力端子台２５は、実施形態１の入力端子台１１および出力端子台１２と同様の構造を備えている。また、基板ケース１７の傾斜部１７ｂには、入力端子台２４における第１の挿通孔２４ａを露出させる第１の窓孔１７ｃと、出力端子台２５における第２の挿通孔２５ａを露出させる第２の窓孔１７ｄとが設けられている。
【００４１】
以上説明した本実施形態のＬＥＤ点灯装置では、基板ケース１７は、回路基板１３，２１に設けられた入力部１５，２２および出力部１６，２３の位置にかかわらず、ケース４の上記長手方向の上記一端部側に、入力線６と出力線７とが配置されるので、ＬＥＤ照明器具の組み立てが容易となる。
【符号の説明】
【００４２】
２  点灯装置
４  ケース
６  入力線
７  出力線
９  入力部
１０  出力部
１３  回路基板
１５  入力部
１６  出力部
１７  基板ケース
１８  点灯装置
２１  回路基板
２２  入力部
２３  出力部
【図１】
2012048979.tif 000003
【図２】
2012048979.tif 000004
【図３】
2012048979.tif 000005
【図４】
2012048979.tif 000006
【図５】
2012048979.tif 000007
【図６】
2012048979.tif 000008
【図７】
2012048979.tif 000009